(57)【要約】【課題】それぞれに異なるコンテンツを上映することが可能な複数の上映装置を有する複数の上映施設を有するコンテンツ上映システムにおいて、上映するコンテンツおよび上映スケジュールの管理を容易にするための技術を提供する。【解決手段】本発明の上映制御システムは、上映装置毎にどの時間帯にどのコンテンツを上映するかが定められた上映スケジュールと、前記時間帯に上映される、該上映スケジュールによって上映することが定められているコンテンツと該コンテンツの前または後に上映される付属のコンテンツとの組み合わせを示す上映プログラムと、各コンテンツとを管理する上映管理装置と、上映施設に対応して設けられ、該上映施設の各上映装置に関する上映スケジュールと該上映装置において該上映スケジュールで定められた各時間帯の上映プログラムとに従って、該上映装置にコンテンツを上映させる上映制御装置を有する。【選択図】図１
2011040885.tif 000002
【特許請求の範囲】
【請求項１】
それぞれに異なるコンテンツを上映することが可能な複数の上映装置を有する複数の上映施設を有するコンテンツ上映システムにおける各上映装置でのコンテンツの上映を制御する上映制御システムであって、
前記上映装置毎にどの時間帯にどのコンテンツを上映するかが定められた上映スケジュールを取得し、前記上映スケジュールによって上映することが定められているコンテンツについて、前記上映スケジュールで定められた時間帯の中で前記コンテンツの前または後に上映される付属のコンテンツを管理者に入力させ、前記時間帯に上映される、該上映スケジュールによって上映することが定められているコンテンツと、該コンテンツに付属のコンテンツとの組み合わせを示す上映プログラムを生成し、前記上映スケジュールと、前記上映プログラムと、前記上映スケジュールおよび前記上映プログラムにて上映することが定められているコンテンツと、を管理する上映管理装置と、
前記上映施設に対応して設けられ、該上映施設の各上映装置に関する上映スケジュールと、該上映装置において該上映スケジュールで定められた各時間帯に上映することが定められているコンテンツの上映プログラムとに従って、該上映装置に該コンテンツを上映させる上映制御装置と、
を有する上映制御システム。
【請求項２】
前記上映制御装置は、複数の前記上映装置に上映させるコンテンツが同一である場合、該コンテンツを該複数の上映装置に提供するとき、マルチキャストで送信する、
請求項１に記載の上映制御システム。
【請求項３】
前記上映管理装置は、複数の上映制御装置に上映させるコンテンツが同一である場合、該コンテンツを該複数の上映制御装置に提供するとき、マルチキャストで送信する、
請求項１または２に記載の上映制御システム。
【請求項４】
前記上映制御装置は、上映装置の障害状況を示す障害情報を自身に対応する上映施設の全ての上映装置から収集し、該障害情報を前記上映管理装置に提供し、
前記上映管理装置は、全ての上映施設の上映制御装置から前記障害情報を取得し、該障害情報を一元的に管理する、
請求項１から３のいずれか１項に記載の上映制御システム。
【請求項５】
前記上映管理装置は、前記障害情報から上映装置の障害を検知すると、該上映装置と同じ上映施設に備えられた上映装置の中から該上映装置の代替となる代替上映装置を選択し、該代替上映装置に該障害が発生した上映装置が上映すべきコンテンツを上映させるように該代替上映装置の上映スケジュールおよび上映プログラムを変更し、該代替上映装置を有する上映施設に対応する上映制御装置に該変更された上映スケジュールおよび上映プログラムを提供し、
前記上映制御装置は、前記変更された上映スケジュールおよび上映プログラムに従って、前記代替上映装置にコンテンツを上映させる、
請求項４に記載の上映制御システム。
【請求項６】
前記上映施設に設けられ、前記上映制御装置から前記障害情報を取得し、表示する監視装置をさらに有し、
前記上映制御装置は、自身に対応する上映施設の全ての上映装置から収集した障害情報を前記監視装置からの要求に応じて提供する、
請求項４または５に記載の上映制御システム。
【請求項７】
前記上映制御装置は、上映装置が１つの上映プログラムの上映を終了する毎に記録する上映実績および装置状態を示す上映ログを自身に対応する上映施設の全ての上映装置から収集し、該上映ログを前記上映管理装置に提供し、
前記上映管理装置は、全ての上映施設の上映制御装置から前記上映ログを取得し、該上映ログを一元的に管理する、
請求項１から６のいずれか１項に記載の上映制御システム。
【請求項８】
前記上映管理装置は、前記上映ログから上映装置の障害を検知すると、該上映装置と同じ上映施設に備えられた上映装置の中から該上映装置の代替となる代替上映装置を選択し、該代替上映装置に該障害が発生した上映装置が上映すべきコンテンツを上映させるように該代替上映装置の上映スケジュールおよび上映プログラムを変更し、該代替上映装置を有する上映施設に対応する上映制御装置に該変更された上映スケジュールおよび上映プログラムを提供し、
前記上映制御装置は、前記変更された上映スケジュールおよび上映プログラムに従って、前記代替上映装置にコンテンツを上映させる、
請求項７に記載の上映制御システム。
【請求項９】
前記上映施設に設けられ、前記上映制御装置から前記上映ログを取得し、表示する監視装置をさらに有し、
前記上映制御装置は、自身に対応する上映施設の全ての上映装置から取得した上映ログを前記監視装置からの要求に応じて提供する、
請求項７または８に記載の上映制御システム。
【請求項１０】
前記上映装置が設けられる上映室毎に設置され、該上映室内の映像および音声を収集する複数の監視カメラと、
前記上映施設に設けられ、該上映施設内の全ての監視カメラで収集された映像および音声を出力する監視モニタと、
をさらに有する、請求項１から９のいずれか１項に記載の上映制御システム。
【請求項１１】
前記上映スケジュールによって上映することが定められているコンテンツは、映画のコンテンツである、請求項１から１０のいずれか１項に記載の上映制御システム。
【請求項１２】
それぞれに異なるコンテンツを上映することが可能な複数の上映装置を有する複数の上映施設を有するコンテンツ上映システムにおける各上映装置でのコンテンツの上映を制御する上映制御システムの上映制御方法であって、
上映制御装置が、前記上映施設に対応して設けられ、
上映管理装置が、
前記上映装置毎にどの時間帯にどのコンテンツを上映するかが定められた上映スケジュールを取得し、
前記上映スケジュールによって上映することが定められているコンテンツについて、前記上映スケジュールで定められた時間帯の中で前記コンテンツの前または後に上映される付属のコンテンツを管理者に入力させ、前記時間帯に上映される、該上映スケジュールによって上映することが定められているコンテンツと、該コンテンツに付属のコンテンツとの組み合わせを示す上映プログラムを生成し、
前記上映スケジュールと、前記上映プログラムと、前記上映スケジュールおよび前記上映プログラムにて上映することが定められているコンテンツと、を管理し、
上映制御装置が、自身に対応する上映施設の各上映装置に関する上映スケジュールと、該上映装置において該上映スケジュールで定められた各時間帯に上映することが定められているコンテンツの上映プログラムとに従って、該上映装置に該コンテンツを上映させる、上映制御方法。
【請求項１３】
前記上映制御装置が、複数の前記上映装置に上映させるコンテンツが同一である場合、該コンテンツを該複数の上映装置に提供するとき、マルチキャストで送信する、
請求項１２に記載の上映制御方法。
【請求項１４】
前記上映管理装置が、複数の上映制御装置に上映させるコンテンツが同一である場合、該コンテンツを該複数の上映制御装置に提供するとき、マルチキャストで送信する、
請求項１２または１３に記載の上映制御方法。
【請求項１５】
前記上映制御装置が、自身に対応する上映施設の全ての上映装置について障害状況を示す障害情報を収集し、該障害情報を前記上映管理装置に提供し、
前記上映管理装置が、全ての上映施設の上映制御装置から前記障害情報を取得し、該障害情報を一元的に管理する、
請求項１２から１４のいずれか１項に記載の上映制御方法。
【請求項１６】
前記上映管理装置が、前記障害情報から上映装置の障害を検知すると、該上映装置と同じ上映施設に備えられた上映装置の中から該上映装置の代替となる代替上映装置を選択し、該代替上映装置に該障害が発生した上映装置が上映すべきコンテンツを上映させるように該代替上映装置の上映スケジュールおよび上映プログラムを変更し、該代替上映装置を有する上映施設に対応する上映制御装置に該変更された上映スケジュールおよび上映プログラムを提供し、
前記上映制御装置が、前記変更された上映スケジュールおよび上映プログラムに従って、前記代替上映装置にコンテンツを上映させる、
請求項１５に記載の上映制御方法。
【請求項１７】
前記上映制御装置が、上映装置が１つの上映プログラムの上映を終了する毎に記録する上映実績および装置状態を示す上映ログを自身に対応する上映施設の全ての上映装置から収集し、該上映ログを前記上映管理装置に提供し、
前記上映管理装置が、全ての上映施設の上映制御装置から前記障害情報を取得し、該上映ログを一元的に管理する、
請求項１１から１６のいずれか１項に記載の上映制御方法。
【請求項１８】
前記上映管理装置が、前記上映ログから上映装置の障害を検知すると、該上映装置と同じ上映施設に備えられた上映装置の中から該上映装置の代替となる代替上映装置を選択し、該代替上映装置に該障害が発生した上映装置が上映すべきコンテンツを上映させるように該代替上映装置の上映スケジュールおよび上映プログラムを変更し、該代替上映装置を有する上映施設に対応する上映制御装置に該変更された上映スケジュールおよび上映プログラムを提供し、
前記上映制御装置が、前記変更された上映スケジュールおよび上映プログラムに従って、前記代替上映装置にコンテンツを上映させる、
請求項１７に記載の上映制御方法。
【請求項１９】
それぞれに異なるコンテンツを上映することが可能な複数の上映装置を有する複数の上映施設を有するコンテンツ上映システムと、該コンテンツ上映システムで上映されるコンテンツを管理する上映管理装置と、を有する上映制御システムで用いられる上映制御装置であって、
前記上映施設に対応して設けられ、
前記上映装置毎にどの時間帯にどのコンテンツを上映するかが定められた上映スケジュールと、前記時間帯に上映される、該上映スケジュールによって上映することが定められているコンテンツと前記上映スケジュールで定められた時間帯の中で前記コンテンツの前または後に上映される付属のコンテンツとの組み合わせを示す上映プログラムとを前記上映管理装置から取得する運行情報受信手段と、
前記上映装置で前記上映スケジュールおよび前記上映プログラムにて上映することが定められているコンテンツを前記上映管理装置から取得するコンテンツ受信手段と、
前記上映施設の各上映装置に関する上映スケジュールと、該上映装置において該上映スケジュールで定められた各時間帯に上映することが定められているコンテンツの上映プログラムとに従って、該上映装置に該コンテンツを上映させる上映指示手段と、
を有する上映制御装置。
【発明の詳細な説明】
【技術分野】
【０００１】
本発明は、それぞれに異なるコンテンツを上映することが可能な複数の上映装置を有する上映施設を有するコンテンツ上映システムにおける各上映装置でのコンテンツの上映の制御方法に関する。
【背景技術】
【０００２】
近年、シネマコンプレックスと呼ばれる、一つの施設に複数の上映室をもつ複合型映画館が増加している。利用者は、一つの施設内でさまざまな映画を見ることができるし、経営者は、チケット売り場や売店等を共用することにより、人件費等の費用を削減できる。
【０００３】
例えば、特許文献１に、複合型映画館を有するデジタルシネマシステムが示されている。特許文献１に開示されるデジタルシネマシステムは、上映室毎に、上映するコンテンツおよび上映スケジュールを管理するコンテンツプレーヤサーバ、コンテンツプレーヤサーバから受信したコンテンツを復号する復号プロセッサ、復号プロセッサで復号されたコンテンツをスクリーンに投影するプロジェクタ、およびプロジェクタから投影される映像を映し出すスクリーンを有する。
【０００４】
特許文献１に開示されるデジタルシネマシステムは、さらに、その映画館の各上映室で上映されるコンテンツを一括して保有するコンテンツ管理サーバを有する。コンテンツ管理サーバは、１つの映画館に共通して用いられ、ＬＡＮ（Local Area Network）により、各上映室のコンテンツプレーヤサーバと接続される。このような構成をとることにより、上映制御システムは、上映室毎に、上映するコンテンツおよび上映スケジュールを管理することができる。
【先行技術文献】
【特許文献】
【０００５】
【特許文献１】特開２００４−２２２２４５公報
【発明の概要】
【発明が解決しようとする課題】
【０００６】
特許文献１の上映制御システムでは、各上映室に設置されるコンテンツプレーヤサーバが、その上映室で上映するコンテンツおよび上映スケジュールを管理する。このため、管理者は、上映するコンテンツの追加や削除、あるいは上映スケジュールの作成、変更、削除等を上映室毎に別々に行う必要がある。これにより、管理者の操作は煩雑なものとなり、作業量は膨大になるおそれがあった。
【０００７】
本発明の目的は、それぞれに異なるコンテンツを上映することが可能な複数の上映装置を有する複数の上映施設を有するコンテンツ上映システムにおける各上映装置でのコンテンツの上映を制御する上映制御システムにおいて、上映するコンテンツおよび上映スケジュールの管理を容易にするための技術を提供することである。
【課題を解決するための手段】
【０００８】
上記目的を達成するために、本発明の上映制御システムは、それぞれに異なるコンテンツを上映することが可能な複数の上映装置を有する複数の上映施設を有するコンテンツ上映システムにおける各上映装置でのコンテンツの上映を制御する上映制御システムであって、前記上映装置毎にどの時間帯にどのコンテンツを上映するかが定められた上映スケジュールを取得し、前記上映スケジュールによって上映することが定められているコンテンツについて、前記上映スケジュールで定められた時間帯の中で前記コンテンツの前または後に上映される付属のコンテンツを管理者に入力させ、前記時間帯に上映される、該上映スケジュールによって上映することが定められているコンテンツと、該コンテンツに付属のコンテンツとの組み合わせを示す上映プログラムを生成し、前記上映スケジュールと、前記上映プログラムと、前記上映スケジュールおよび前記上映プログラムにて上映することが定められているコンテンツと、を管理する上映管理装置と、前記上映施設に対応して設けられ、該上映施設の各上映装置に関する上映スケジュールと、該上映装置において該上映スケジュールで定められた各時間帯に上映することが定められているコンテンツの上映プログラムとに従って、該上映装置に該コンテンツを上映させる上映制御装置を有する。
【０００９】
また、上記目的を達成するために、本発明の上映制御方法は、それぞれに異なるコンテンツを上映することが可能な複数の上映装置を有する複数の上映施設を有するコンテンツ上映システムにおける各上映装置でのコンテンツの上映を制御する上映制御システムの上映制御方法であって、上映制御装置が、前記上映施設に対応して設けられ、上映管理装置が、前記上映装置毎にどの時間帯にどのコンテンツを上映するかが定められた上映スケジュールを取得し、前記上映スケジュールによって上映することが定められているコンテンツについて、前記上映スケジュールで定められた時間帯の中で前記コンテンツの前または後に上映される付属のコンテンツを管理者に入力させ、前記時間帯に上映される、該上映スケジュールによって上映することが定められているコンテンツと、該コンテンツに付属のコンテンツとの組み合わせを示す上映プログラムを生成し、前記上映スケジュールと、前記上映プログラムと、前記上映スケジュールおよび前記上映プログラムにて上映することが定められているコンテンツと、を管理し、上映制御装置が、自身が設けられている上映施設の各上映装置に関する上映スケジュールと、該上映装置において該上映スケジュールで定められた各時間帯に上映することが定められているコンテンツの上映プログラムとに従って、該上映装置に該コンテンツを上映させる。
【００１０】
また、上記目的を達成するために、本発明の上映制御装置は、それぞれに異なるコンテンツを上映することが可能な複数の上映装置を有する複数の上映施設を有するコンテンツ上映システムと、上映装置毎にどの時間帯にどのコンテンツを上映するかが定められた上映スケジュールと、前記時間帯に上映される、該上映スケジュールによって上映することが定められているコンテンツと、該コンテンツの前または後に上映される付属のコンテンツとの組み合わせを示す上映プログラムと、前記上映スケジュールおよび前記上映プログラムにて上映することが定められているコンテンツと、を管理する上映管理装置と、を有する上映制御システムで用いられる上映制御装置であって、前記上映施設に対応して設けられ、前記上映施設の各上映装置に関する上映スケジュールと、該上映装置において該上映スケジュールで定められた各時間帯に上映することが定められているコンテンツの上映プログラムとを前記上映管理装置から取得する運行情報受信手段と、前記上映装置で前記上映スケジュールおよび前記上映プログラムにて上映することが定められているコンテンツを前記上映管理装置から取得するコンテンツ受信手段と、前記上映施設の各上映装置に関する上映スケジュールと、該上映装置において該上映スケジュールで定められた各時間帯に上映することが定められているコンテンツの上映プログラムとに従って、該上映装置に該コンテンツを上映させる上映制御手段を有する。
【発明の効果】
【００１１】
本発明によれば、それぞれに異なるコンテンツを上映することが可能な複数の上映装置を有する複数の上映施設を有するコンテンツ上映システムにおける各上映装置でのコンテンツの上映を制御する上映制御システムにおいて、上映するコンテンツおよび上映スケジュールの管理を容易にすることができる。
【図面の簡単な説明】
【００１２】
【図１】本発明の一実施形態における上映制御システムの構成を示すブロック図である。
【図２】図１に示した上映管理装置１１の構成を示すブロック図である。
【図３】図１に示した上映制御装置１１１の構成を示すブロック図である。
【図４】図１に示した上映制御システムにおける上映制御装置が上映スケジュール、上映プログラムおよびコンテンツを取得するときの上映管理装置１１と上映制御装置１１１との間のシーケンスを示す図である。
【図５】図１に示した上映制御システムにおける上映管理装置１１が上映施設１００の上映制御装置１１１から障害を通知されたときの上映管理装置１１と上映制御装置１１１との間のシーケンスを示す図である。
【発明を実施するための形態】
【００１３】
次に本発明について図面を参照して詳細に説明する。
【００１４】
従来の複合型映画館では、各上映室に設置される上映装置毎に、その上映装置で上映されるコンテンツおよび上映スケジュールを管理するサーバが設置されていた。このため、管理者は、上映するコンテンツの追加や削除、あるいは上映スケジュールの作成、変更、削除等を上映室毎に別々に行う必要があった。
【００１５】
本実施の形態の上映制御システムでは、それぞれに異なるコンテンツを上映することが可能な複数の上映装置を有する複数の上映施設を有するコンテンツ上映システムにおいて、各上映施設に上映制御装置が設置される。そして、上映制御装置が、その上映施設の全ての上映装置で上映されるコンテンツと各上映装置に関する上映スケジュールを一元的に管理することにより、上映するコンテンツおよび上映スケジュールの管理を容易にする。
【００１６】
図１は本発明の一実施形態における上映制御システムの構成を示すブロック図である。
【００１７】
図１に示すように本発明の一実施形態における上映制御システムは、上映管理センター１０および複数の上映施設１００、２００、３００を有する。
【００１８】
上映管理センター１０は、全ての上映施設の上映制御装置を管理する上映管理装置１１を有する。
【００１９】
上映管理装置１１は、実映像データであるコンテンツを一元的に管理する。上映管理装置１１は、全ての上映施設で上映される映画について、映画本編のコンテンツと、広告、予告編、エンドクレジット等の付属のコンテンツを管理する。尚、各コンテンツは、符号化され、さらに暗号化された状態で上映管理装置１１に保管される。
【００２０】
また、上映管理装置１１は、各上映施設の上映装置毎にどの時間帯にどの映画を上映するかが定められた上映スケジュールを一元的に管理する。さらに、上映管理装置１１は、各上映スケジュールによって上映することが定められているコンテンツとその上映スケジュールで定められた時間帯の中でそのコンテンツの前または後に上映される付属のコンテンツとの組み合わせを示す上映プログラムを管理する。
【００２１】
本実施形態の上映制御システムでは、各上映施設の上映装置毎の上映スケジュールは、映画館の運営をする興行会社で計画される。興行会社で計画された上映スケジュールは、上映管理装置１１に設定される。
【００２２】
また、興行会社は、映画本編のコンテンツを配給会社から購入する。購入された映画本編のコンテンツは、上映管理センター１０の上映管理装置１１に保管される。広告、予告編、エンドクレジット等の映画本編以外の付属のコンテンツも上映管理装置１１に保管される。
【００２３】
また、上映管理装置１１は、所定の上映施設の上映装置の上映スケジュールが設定されると、その上映スケジュールによって上映することが定められているコンテンツについて、その上映スケジュールで定められた時間帯の中でそのコンテンツの前または後に上映される付属のコンテンツを上映管理センターの管理者に入力させる。そして、上映管理装置１１は、上映スケジュールで定められた時間帯に上映される、上映スケジュールによって上映することが定められているコンテンツと、そのコンテンツに付属のコンテンツとの組み合わせを示す上映プログラムを生成する。
【００２４】
また、上映管理装置１１は、各上映施設の上映制御装置にその上映施設で上映される映画の上映スケジュール、上映プログラムおよびコンテンツを配信する。
【００２５】
上映施設１００、２００、３００の構成は、それぞれ同じであるため、以下、代表して上映施設１００の構成について説明する。
【００２６】
上映施設１００は、制御室１１０、監視室１２０および複数の上映室１３０、１４０、１５０を有する。
【００２７】
制御室１１０は、上映施設１００内の全ての上映装置を管理する上映制御装置１１１を有する。
【００２８】
上映制御装置１１１は、上映施設１００の全ての上映装置に関する上映スケジュールおよび上映プログラムと各上映装置で上映されるコンテンツとを上映管理装置１１から取得する。また、上映制御装置１１１は、各上映装置に関する上映スケジュールおよび上映プログラムに従って該当するコンテンツを上映装置に送信する。
【００２９】
監視室１２０は、監視装置１２１、スイッチャー１２２および監視モニタ１２３を有する。
【００３０】
監視装置１２１は、上映施設１００内の全ての上映装置の障害状況を監視する装置である。
【００３１】
監視装置１２１は、上映制御装置１１１から上映施設１００内の全ての上映装置の障害状況を示す障害情報を取得し、取得した障害情報を上映施設１００の管理者の要求に応じて表示する。
【００３２】
また、監視装置１２１は、上映制御装置１１１から上映施設１００内の全ての上映装置の上映実績および装置状態を示す上映ログを取得し、取得した上映ログを上映施設１００の管理者の要求に応じて表示する。
【００３３】
スイッチャー１２２は、複数の映像および音声信号のうち、出力する信号を切り換えるスイッチャーである。スイッチャー１２２には、上映施設１００内の全ての監視カメラからの映像および音声信号が入力される。そして、スイッチャー１２２は、管理者によって選択された信号を監視モニタ１２３に出力する。
【００３４】
監視モニタ１２３は、スイッチャー１２２によって選択された映像および音声信号を出力するモニタである。
【００３５】
尚、上映施設１００の管理者は、監視室１２０の監視装置１２１を用いて、上映施設１００内の全ての上映装置の障害情報および上映ログを閲覧することにより、上映装置に障害が発生していないことを確認する。
【００３６】
また、上映施設１００の管理者は、監視室１２０の監視モニタ１２３を用いて、各上映室の状況を映像および音声で監視することにより、各上映室に異常が発生していないことを確認する。
【００３７】
上映室１３０、１４０、１５０の構成は、それぞれ同じであるため、以下、代表して上映室１３０の構成について説明する。
【００３８】
上映室１３０は、監視カメラ１３１および上映装置１３２を有する。
【００３９】
監視カメラ１３１は、上映室１３０を監視するために、上映室１３０内の映像および音声を収集し、映像および音声信号を出力するカメラである。
【００４０】
上映装置１３２は、上映制御装置１１１から受信した、符号化され、暗号化されたコンテンツを復号するメディアブロックの機能を有し、復号されたコンテンツをスクリーンに投影する映写機である。
【００４１】
また、上映装置１３２は、コンテンツの受信を完了していなくても、コンテンツを受信しながら同時に復号し、スクリーンに投影する。これにより、上映装置１３２は、上映制御装置１１１から受信したコンテンツを短時間にスクリーンに投影できる。
【００４２】
また、上映装置１３２は、自身の障害状況を定期的に監視し、上映制御装置１１１からの要求に応じて、障害状況を示す障害情報として提供する。
【００４３】
また、上映装置１３２は、１つの上映プログラムの上映が終了する毎に、上映実績および装置状態を示す上映ログを作成し、上映制御装置１１１に送信する。
【００４４】
図２は図１に示した上映管理装置１１の構成を示すブロック図である。
【００４５】
図２に示すように、上映管理装置１１は、状態監視部１２、ログ監視部１３、運行情報管理部１４、コンテンツ管理部１５、上映操作部１６および記憶装置１７を有する。
【００４６】
記憶装置１７には、各上映施設で上映される映画の上映スケジュール、上映プログラム、コンテンツ、およびそのコンテンツにされた暗号化を復号するための復号鍵が格納される。
【００４７】
状態監視部１２は、コンテンツ上映システムの全ての上映施設の上映制御装置からその上映施設の全ての上映装置の障害情報を収集する。
【００４８】
ログ監視部１３は、コンテンツ上映システムの全ての上映施設の上映制御装置からその上映施設の全ての上映装置の上映ログを取得する。さらに、ログ監視部１３は、取得したログに基づいてレポートを作成する機能を有する。
【００４９】
運行情報管理部１４は、各上映施設の上映装置毎の上映スケジュールおよび上映プログラムを管理する。
【００５０】
運行情報管理部１４は、各上映施設の上映装置毎に上映スケジュールの設定を行い、どの時間帯にどの映画を上映するかを定める機能を有する。また、運行情報管理部１４は、設定された上映スケジュールの変更および削除を行う機能を有する。上映管理センターの管理者は、運行情報管理部１４を用いて、各上映施設の上映装置の上映スケジュールを編成することができる。
【００５１】
また、運行情報管理部１４は、上映スケジュールによって上映することが定められているコンテンツについて、その上映スケジュールで定められた時間帯の中でそのコンテンツの前または後に上映される付属のコンテンツを上映管理センターの管理者に入力させる。そして、運行情報管理部１４は、上映スケジュールで定められた時間帯に上映される、上映スケジュールによって上映することが定められているコンテンツと、そのコンテンツに付属のコンテンツとの組み合わせを示す上映プログラムを生成する。
【００５２】
また、運行情報管理部１４は、上映プログラムの変更、削除を行う機能を有する。上映管理センターの管理者は、運行情報管理部１４を用いて、各上映施設の上映装置が上映する映画本編のコンテンツに対して、上映スケジュール毎に、広告、予告編、エンドクレジット等の付属のコンテンツを組み合わせることができる。
【００５３】
また、運行情報管理部１４は、生成、変更された各上映施設の上映装置に関する上映スケジュールと、その上映スケジュールで定められた各時間帯の上映プログラムとをその上映施設の上映制御装置の運行情報受信部に送信する。
【００５４】
コンテンツ管理部１５は、各上映施設の上映装置が上映するコンテンツを管理する。
【００５５】
コンテンツ管理部１５は、各上映施設の各上映装置の上映スケジュールと、その上映スケジュールで定められた各時間帯の上映プログラムとに従って、映画本編のコンテンツと、広告、予告編、エンドクレジット等の付属のコンテンツと、それぞれのコンテンツの復号鍵とをその上映施設の上映制御装置のコンテンツ受信部に配信する。
【００５６】
また、コンテンツ管理部１５は、マルチキャスト配信機能を有する。コンテンツ管理部１５は、マルチキャスト配信機能により、各上映施設の上映制御装置のコンテンツ受信部に同じコンテンツを同時に配信することができる。
【００５７】
上映操作部１６は、各上映施設の上映制御装置の上映指示部を操作することにより、その上映制御装置が保管する上映スケジュール、上映プログラムおよび上映中のコンテンツを変更する。
【００５８】
図３は図１に示した上映制御装置１１１の構成を示すブロック図である。
【００５９】
図３に示すように、上映制御装置１１１は、状態収集部１１２、ログ収集部１１３、運行情報受信部１１４、コンテンツ受信部１１５、上映指示部１１６および記憶装置１１７を有する。
【００６０】
記憶装置１１７には、上映施設１００の上映スケジュール、上映プログラム、上映されるコンテンツ、およびそのコンテンツの復号鍵が格納される。
【００６１】
状態収集部１１２は、上映施設１００内の全ての上映装置の障害情報を収集し、収集した障害情報を上映管理装置１１の状態監視部１２に提供する。
【００６２】
ログ収集部１１３は、上映施設１００内の全ての上映装置から取得した上映ログを上映管理装置１１のログ監視部１３に提供する。
【００６３】
運行情報受信部１１４は、上映管理装置１１の運行情報管理部１４から上映施設１００の各上映装置に関する上映スケジュールと、その上映スケジュールで定められた各時間帯の上映プログラムとを受信し、管理する。また、運行情報受信部１１５は、受信した上映スケジュールおよび上映プログラムを記憶装置１１７に格納する。
【００６４】
コンテンツ受信部１１５は、上映管理装置１１のコンテンツ管理部１５から上映施設１００の各上映装置が上映するコンテンツおよびそれぞれのコンテンツの復号鍵を受信し、受信したコンテンツおよびそれぞれのコンテンツの復号鍵を記憶装置１１７に格納する。
【００６５】
上映指示部１１６は、上映スケジュールおよびその上映スケジュールで定められた各時間帯の上映プログラムにしたがって、上映施設１００内の各上映装置が映画を上映できるように、各コンテンツを各上映装置に送信する。
【００６６】
また、上映指示部１１６は、コンテンツ受信部１１５がコンテンツの受信を完了していなくても、コンテンツを受信しながら同時に各上映装置に送信する機能を有する。これにより、上映指示部１１６は、上映管理装置１１から受信した各コンテンツを短時間に各上映装置に送信できる。
【００６７】
また、上映指示部１１６は、マルチキャスト配信機能を有する。上映指示部１１６は、マルチキャスト配信機能により、各上映装置に同じコンテンツを同時に配信することができる。
【００６８】
これにより、上映指示部１１６は、上映施設１００の全ての上映装置に同じ広告コンテンツと予告編コンテンツを同時に配信でき、各上映装置は、同じ広告コンテンツと予告編コンテンツを上映できる。また、上映指示部１１６は、広告コンテンツと予告編コンテンツをマルチキャストで配信した後は、上映装置毎に上映スケジュールで定められた映画本編のコンテンツを送信する。これにより、各上映装置は、その上映施設内で共通の広告コンテンツと予告編コンテンツを上映した上で、それぞれが上映すべき映画本編のコンテンツを上映することができる。
【００６９】
次に図１に示した上映制御システムにおける上映制御装置が上映スケジュール、上映プログラムおよびコンテンツを取得する処理について説明する。
【００７０】
図４は図１に示した上映制御システムにおける上映制御装置が上映スケジュール、上映プログラムおよびコンテンツを取得するときの上映管理装置１１と上映制御装置１１１との間のシーケンスを示す図である。
【００７１】
まず、上映管理装置１１の運行情報管理部１４は、上映施設１００の上映装置毎の上映スケジュールを取得する（ステップＳ１）。尚、本実施形態の上映制御システムでは、各上映施設の上映装置毎の上映スケジュールは、興行会社で計画される。興行会社で計画された上映スケジュールは、上映管理装置１１の記憶装置１７に格納される。
【００７２】
上映管理装置１１の運行情報管理部１４は、上映施設１００の上映スケジュールを取得すると、その上映スケジュールを上映施設１００の上映制御装置１１１の運行情報受信部１１４に送信する（ステップＳ２）。尚、上映管理装置の管理者は、運行情報管理部１４を用いて、いつでも上映スケジュールを変更できる。運行情報管理部１４は、上映スケジュールが変更されると、その都度、変更された上映スケジュールを各上映施設の上映制御装置の運行情報受信部に送信する。
【００７３】
上映管理装置１１の運行情報管理部１４から上映スケジュールを受信すると、上映制御装置１１１の運行情報受信部１１４は、受信した上映スケジュールを自装置の記憶装置１１７に格納する（ステップＳ３）。
【００７４】
尚、各上映施設では、その上映施設の管理者が、上映制御装置１１１に保管された上映スケジュールに基づいて、毎朝、その日のスケジュールを確認する。
【００７５】
次に、上映管理装置１１のコンテンツ管理部１５が、映画本編をはじめ、広告、予告編、エンドクレジット等のコンテンツを取得する（ステップＳ４）。尚、映画本編のコンテンツは、興行会社によって配給会社から購入される。映画本編のコンテンツは、上映管理装置１１の記憶装置１７に格納される。また、広告、予告編、エンドクレジット等の映画本編以外の付属のコンテンツも上映管理装置１１の記憶装置１７に格納される。
【００７６】
次に、上映管理装置１１の運行情報管理部１４は、上映施設１００の各上映装置の上映スケジュールで定められた各時間帯の上映プログラムを取得する（ステップＳ５）。本実施形態の上映制御システムでは、各上映施設の各上映装置の上映スケジュールで定められた各時間帯の上映プログラムは、上映管理センターの管理者によって設定される。上映管理センターの管理者は、上映スケジュールで定められた時間内に上映できるように上映プログラムを作成し、上映管理センター１０の上映管理装置１１に保管する。各上映施設の各上映装置の上映スケジュールで定められた各時間帯の上映プログラムは、上映管理装置１１の記憶装置１７に格納される。
【００７７】
上映管理装置１１の運行情報管理部１４は、上映プログラムを取得すると、その上映プログラムを上映施設１００の上映制御装置１１１の運行情報受信部１１４に送信する（ステップＳ６）。尚、上映管理センターの管理者は、運行情報管理部１４を用いて、いつでも上映プログラムを変更できる。運行情報管理部１４は、上映プログラムが変更されると、その都度、変更された上映プログラムを各上映施設の上映制御装置の運行情報受信部に送信する。
【００７８】
上映管理装置１１の運行情報管理部１４から上映プログラムを受信すると、上映制御装置１１１の運行情報受信部１１４は、受信した上映プログラムを自装置の記憶装置１１７に格納する（ステップＳ７）。
【００７９】
次に、上映管理装置１１のコンテンツ管理部１５は、運行情報管理部１４が取得した上映スケジュールと、その上映スケジュールで定められた各時間帯の上映プログラムとにしたがって、各コンテンツおよびそれぞれのコンテンツの復号鍵を上映施設１００の上映制御装置１１１のコンテンツ受信部１１５に送信する（ステップＳ８）。
【００８０】
上映管理装置１１のコンテンツ管理部１５からコンテンツおよびその復号鍵を受信すると、上映制御装置１１１のコンテンツ受信部１１５は、受信したコンテンツおよびその復号鍵を自装置の記憶装置１１７に格納する（ステップＳ９）。
【００８１】
上映制御装置１１１の上映指示部１１６は、上映スケジュールと、その上映スケジュールで定められた各時間帯の上映プログラムとにしたがって、記憶装置１１７から上映するコンテンツおよびそれぞれのコンテンツの復号鍵を読み出す。そして、上映指示部１１６は、読み出したコンテンツおよびその復号鍵を該当する上映装置に送信する。
【００８２】
各上映装置は、上映制御装置１１１の上映指示部１１６からコンテンツおよびその復号鍵を受信すると、受信したコンテンツの暗号化および圧縮を復号し、復号されたコンテンツをスクリーンに投影する。尚、各上映装置は、受信したコンテンツの暗号化を復号するとき、受信した復号鍵を用いる。
【００８３】
また、各上映装置は、１つの上映プログラムの上映を完了すると、上映ログを作成し、上映制御装置１１１のログ収集部１１３に送信する。上映制御装置１１１のログ収集部１１３は、上映ログを受信すると、受信した上映ログを上映管理装置１１のログ監視部１３に通知する。
【００８４】
上映管理装置１１のログ監視部１３は、上映制御装置１１１のログ収集部１１３から通知された上映ログを一定周期で集計した上映レポートを作成する。興行会社では、作成された上映レポートを閲覧することにより、興行の実績および課題を確認できる。
【００８５】
次に図１に示した上映制御システムにおける上映管理装置１１が上映施設１００の上映制御装置１１１から障害を通知されたときの処理について説明する。
【００８６】
図５は図１に示した上映制御システムにおける上映管理装置１１が上映施設１００の上映制御装置１１１から障害を通知されたときの上映管理装置１１と上映制御装置１１１との間のシーケンスを示す図である。
【００８７】
上映制御装置１１１の状態収集部１１２は、上映施設１００の全ての上映装置の障害情報を定期的に収集する（ステップＳ１１）。
【００８８】
上映施設１００の全ての上映装置障害情報を収集すると、状態収集部１１２は、取得した障害情報を上映管理装置１１の状態監視部１２に通知する（ステップＳ１２）。
【００８９】
上映制御装置１１１の状態収集部１１２から障害情報を通知されると、上映管理装置１１の状態監視部１２は、通知された障害情報を確認し、上映施設１００のいずれかの上映装置に障害が発生しているか否かを判別する（ステップＳ１３）。
【００９０】
状態監視部１２は、上映施設１００のいずれかの上映装置に障害が発生していることを検知すると（ステップＳ１４）、運行情報管理部１４にその旨を通知する。状態監視部１２から上映施設１００のいずれかの上映装置に障害が発生している旨を通知されると、運行情報管理部１４は、障害が発生している上映装置に関する上映スケジュールおよび上映プログラムの再編を実施する（ステップＳ１８）。
【００９１】
尚、上映管理装置１１には、上映装置に障害が発生したときに、その上映装置が上映すべき映画を代わりに上映する代替上映装置が予め設定されている。例えば、上映を行っていない予備の上映装置、あるいは集客力の少ない映画を上映している上映装置が、代替上映装置として設定される。運行情報管理部１４は、その設定にしたがって代替上映装置を決定し、障害が発生した上映装置が上映すべき映画を上映するように代替上映装置の上映スケジュールおよび上映プログラムを変更する。
【００９２】
また、運行情報管理部１４は、上映管理センターの管理者からの指示にしたがって各上映装置の上映スケジュールおよび上映プログラムを変更してもよい。
【００９３】
運行情報管理部１４は、上映スケジュールおよび上映プログラムを再編すると、再編した上映スケジュールおよび上映プログラムを上映制御装置１１１の運行情報受信部１１４に送信する（ステップＳ１９）。
【００９４】
上映管理装置１１の運行情報管理部１４から上映スケジュールおよび上映プログラムを受信すると、上映制御装置１１１の運行情報受信部１１４は、受信した上映スケジュールおよび上映プログラムを自装置の記憶装置１１７に格納する（ステップＳ２０）。
【００９５】
そして、上映制御装置１１１の上映指示部１１６は、障害が発生した上映装置が上映すべき映画を代替上映装置が上映できるように、変更された上映スケジュールおよび上映プログラムにしたがって、該当するコンテンツを代替上映装置に送信する。
【００９６】
これにより、上映制御装置１１１は、配下の上映装置に障害が発生した場合であっても、自動的に上映スケジュールを変更することができる。
【００９７】
尚、上映施設１００のいずれかの上映装置に障害が発生しているか否かの判別は、上映管理装置１１の状態監視部１２ではなく、上映制御装置１１１の状態収集部１１２が行うようにしてもよい。この場合、上映制御装置１１１の状態収集部１１２が、上映施設１００のいずれかの上映装置の障害を検知すると、上映管理装置１１の状態監視部１２にその旨を通知する。上映施設１００のいずれかの上映装置に障害が発生している旨を通知されると、上映管理装置１１の状態監視部１２は、運行情報管理部１４にその旨を通知する。以降の処理は、図５に示したステップＳ１５からステップＳ１７と同様である。
【００９８】
また、上映管理装置１１のログ監視部１３が、上映制御装置１１１のログ収集部１１３から上映ログを通知されたときに、通知された上映ログに基づいて上映装置に障害が発生しているか否かを判別するようにしてもよい。この場合、上映管理装置１１のログ監視部１３は、上映ログの対象である上映装置に障害が発生していることを検知すると、運行情報管理部１４にその旨を通知する。以降の処理は、図５に示したステップＳ１５からステップＳ１７と同様である。
【００９９】
尚、上映施設１００の管理者は、上映施設１００のいずれかの上映装置に障害が発生すると、その旨および上映室の変更を客へアナウンスし、誘導等を行う。
【０１００】
また、障害が発生した上映装置については、恒久対策として、機器の交換あるいは障害部品の交換が行われる。上映装置について、機器の交換あるいは障害部品の交換が行われると、上映制御装置１１１のログ収集部１１３は、障害ログを作成し、上映管理装置１１のログ監視部１３に通知する。
【０１０１】
上映管理装置１１のログ監視部１３は、上映制御装置１１１のログ収集部１１３から通知された障害ログを上映ログと共に上映レポートに記載する。興行会社では、作成された上映レポートを閲覧することにより、上映装置の障害発生状況を確認できる。
【０１０２】
尚、本実施の形態では、上映制御システムが映画のコンテンツを上映する例を示したが、本発明は、これに限定されるものではない。上映制御システムが上映するコンテンツは、映像もしくは音声のコンテンツであれば、どのようなものであってもよい。
【０１０３】
以上説明したように、本実施形態によれば、上映制御システムでは、それぞれに異なるコンテンツを上映することが可能な複数の上映装置を有する複数の上映施設を有するコンテンツ上映システムにおいて、上映施設毎に上映制御装置が設置される。各上映施設に設置された上映制御装置がその上映施設の全ての上映装置で上映されるコンテンツと各上映装置に関する上映スケジュールを一元的に管理することにより、上映制御システムは、上映するコンテンツおよび上映スケジュールの管理を容易にすることができる。これにより、上映制御システムは、各上映施設での業務を効率化することができ、運用費を軽減できる。
【０１０４】
また、本実施形態によれば、上映管理センターの上映管理装置が、直接、上映施設の上映制御装置と接続するため、上映管理センターの管理者は、上映管理センターから各上映施設の上映装置の上映スケジュールおよび上映プログラムを操作できる。例えば、ある上映施設の上映装置に障害等が発生した場合であっても、上映管理センターの管理者は、上映管理センターからその上映施設の上映装置に関する上映スケジュールを変更できる。
【０１０５】
また、本実施形態によれば、上映制御装置は、マルチキャスト配信機能を有する。このため、上映施設内のネットワークを効率よく使用しながら、その上映施設の全ての上映装置は、同時に同じ広告コンテンツと予告編コンテンツを上映することができる。
【０１０６】
また、本実施形態によれば、上映管理センターの上映管理装置は、マルチキャスト配信機能を有する。このため、上映制御システム内のネットワークを効率よく使用しながら、全ての上映施設の各上映装置が、同時に同じ広告コンテンツと予告編コンテンツを上映することができる。同時上映するコンテンツは、上映管理センターの上映管理装置で一元的に管理されるため、柔軟にコンテンツの変更等を行うことができる。
【０１０７】
また、本実施形態によれば、上映制御装置が、上映施設内の全ての上映装置の障害情報を収集し、上映管理センターの上映管理装置が、コンテンツ上映システム内の全ての上映制御装置が収集した障害情報を集約する。これにより、上映管理センターでコンテンツ上映システム内の障害情報を一元的に管理することができる。
【０１０８】
また、上映管理装置は、収集した障害情報から上映装置の障害を検知すると、予め定められた設定にしたがって上映スケジュールを変更する。これにより、コンテンツ上映システム内の上映装置に障害が発生した場合であっても、自動的に上映スケジュールを変更することができる。
【０１０９】
また、本実施形態によれば、監視室に設置された監視装置が、上映制御装置から上映施設の全ての上映装置の障害情報を取得する。これにより、上映施設の管理者は、監視装置を用いて上映装置の障害状況を確認できる。
【０１１０】
また、本実施形態によれば、上映制御装置が、上映施設の全ての上映装置の上映ログを取得し、さらに、上映管理センターの上映管理装置が、コンテンツ上映システム内の全ての上映制御装置が取得した上映ログを集約する。これにより、上映管理センターで上映制御システム内の上映ログを一元的に管理することができる。興行会社では、一元的に管理される上映ログから、興行の実績および課題を確認できる。
【０１１１】
また、上映管理装置は、収集した上映ログから上映装置の障害を検知すると、予め定められた設定にしたがって前記上映スケジュールを変更する。これにより、上映制御システム内の上映装置に障害が発生した場合であっても、自動的に上映スケジュールを変更することができる。
【０１１２】
また、本実施形態によれば、監視室に設置された監視装置が、上映制御装置から上映施設の全ての上映装置の上映ログを取得する。これにより、上映施設の管理者は、監視装置を用いて上映装置の上映ログを確認できる。
【０１１３】
また、本実施形態によれば、上映施設の上映室毎に監視カメラが設置され、監視室に設置された監視モニタが、各監視カメラの映像および音声を出力する。これにより、上映施設の管理者は、監視モニタを用いて上映室の障害状況を確認できる。
【符号の説明】
【０１１４】
１０  上映管理センター
１１  上映管理装置
１２  状態監視部
１３  ログ監視部
１４  運行情報管理部
１５  コンテンツ管理部
１６  上映操作部
１７  記憶装置
１００、２００、３００  上映施設
１１０  制御室
１１１  上映制御装置
１１２  状態収集部
１１３  ログ収集部
１１４  運行情報受信部
１１５  コンテンツ受信部
１１６  上映指示部
１１７  記憶装置
１２０  監視装置
１２１  監視装置
１２２  スイッチャー
１２３  監視モニタ
１３０、１４０、１５０  上映室
１３１、１４１、１５１  監視カメラ
１３２、１４２、１５２  上映装置
【図１】
2011040885.tif 000003
【図２】
2011040885.tif 000004
【図３】
2011040885.tif 000005
【図４】
2011040885.tif 000006
【図５】
2011040885.tif 000007